【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
ユーザにエンティティの評判（レピュテーション）を伝達する、コンピュータにより実施される方法であって、
複数のクライアントに関連付けられた、前記クライアントの信頼性の評価を表す衛生スコアであって、前記クライアントにおけるマルウエア検出の頻度に基づき決定された衛生スコアを特定するステップと、
複数のクライアントのうちの１つがエンティティに遭遇したことの通知を受信するステップであって、前記エンティティはファイル、プログラム又はウェブサイトを含む、ステップと、
前記クライアントの前記衛生スコアに基づいて、少なくとも閾値レベルの信頼性を示す衛生スコアを有する、信頼できるクライアントのセットを識別するステップと、
前記エンティティのレピュテーションスコアを計算するステップであって、前記レピュテーションスコアは、前記エンティティを使用したことのあるすべてのユーザに対する、前記エンティティを使用したことのある信頼できるクライアントの比率の測定を含み、前記レピュテーションスコアは、前記エンティティに悪意があるか否かの評価を表すステップと、
前記エンティティに遭遇した前記クライアントに前記レピュテーションスコアを提示するステップであって、前記レピュテーションスコアは、前記レピュテーションスコアが信頼できると考えられる他のクライアントに基づくことを示すメッセージが付随するステップとを含む、方法。
【請求項２】
前記レピュテーションスコアは、前記エンティティを使用したことのあるクライアントセットの前記衛生スコアの数学的変換を更に含む、請求項１に記載の方法。
【請求項３】
前記メッセージは、１つまたは複数の信頼できるクライアントによる前記エンティティ
の使用についての統計を含む、請求項１に記載の方法。
【請求項４】
前記エンティティはファイルであり、前記エンティティの遭遇は、前記エンティティをダウンロードするステップ、または前記エンティティをダウンロードしようとするステップを含む、請求項１に記載の方法。
【請求項５】
前記エンティティはウェブサイトであり、前記エンティティの遭遇は、前記ウェブサイトを見るステップ、または前記ウェブサイトを見ようとするステップを含む、請求項１に記載の方法。
【請求項６】
エンティティの評判（レピュテーション）をユーザに伝達する、コンピュータにより実施される方法であって、前記方法は、
クライアントがエンティティに遭遇するステップであって、前記エンティティはファイル、プログラム又はウェブサイトを含む、ステップと、
クライアントが遭遇したエンティティに悪意があるか否かの評価を表すレピュテーションスコアを受信するステップであって、前記レピュテーションスコアは、前記エンティティを使用したことのあるすべてのユーザに対する、前記エンティティを使用したことのある信頼できるクライアントの比率の測定を含み、信頼できるクライアントは閾値を超える衛生スコアを有するクライアントであり、衛生スコアは、前記クライアントの信頼性の評価を表すと共に、前記クライアントにおけるマルウエア検出の頻度に基づき決定される、ステップと、
前記クライアントの出力装置を介して前記レピュテーションスコアを前記ユーザに伝達するステップと、
前記クライアントの前記出力装置を介して、前記レピュテーションスコアが信頼できるクライアントに基づくことを示すメッセージを前記ユーザに伝達するステップとを含む、方法。
【請求項７】
前記レピュテーションスコアは、前記エンティティを使用したことのあるクライアントセットの前記衛生スコアの数学的変換を含む、請求項６に記載の方法。
【請求項８】
前記メッセージは、１つまたは複数の信頼できるクライアントによる前記エンティティの使用についての情報を含む、請求項６に記載の方法。
【請求項９】
前記エンティティはファイルであり、前記エンティティに遭遇するステップは、前記エンティティをダウンロードするステップ、または前記エンティティをダウンロードしようとするステップを含む、請求項６に記載の方法。
【請求項１０】
前記エンティティはウェブサイトであり、前記エンティティに遭遇するステップは、前記ウェブサイトを見るステップ、または前記ウェブサイトを見ようとするステップを含む、請求項６に記載の方法。
【請求項１１】
エンティティの評判（レピュテーション）をユーザに伝達するコンピュータプログラム製品であって、前記コンピュータプログラム製品は、
複数のクライアントに関連付けられた衛生スコアを特定するステップであって、前記衛生スコアは前記クライアントの信頼性の評価を表し、前記クライアントにおけるマルウエア検出の頻度に基づき決定される、ステップと、
複数のクライアントのうちの１つがエンティティに遭遇したことの通知を受信するステップであって、前記エンティティはファイル、プログラム又はウェブサイトを含む、ステップと、
前記クライアントの前記衛生スコアに基づいて信頼できるクライアントのセットを特定するステップであって、信頼できるクライアントは少なくとも信頼性の閾値を超える衛生スコアを有する、ステップと、
前記エンティティのレピュテーションスコアを計算するステップであって、前記計算されたレピュテーションスコアは、前記エンティティを使用したことのあるすべてのユーザに対する、前記エンティティを使用したことのある信頼できるクライアントの比率の測定を含み、前記レピュテーションスコアは、前記エンティティに悪意があるか否かの評価を表すステップと、
前記エンティティに遭遇した前記クライアントに前記レピュテーションスコアを提示するステップであって、前記レピュテーションスコアは、前記レピュテーションスコアが信頼できると考えられる他のクライアントに基づくことを示すメッセージが付随するステップとを含む、
を含むコンピュータ可読媒体を備える、コンピュータプログラム製品。
【請求項１２】
前記レピュテーションスコアは、前記エンティティを使用したことのあるクライアントセットの前記衛生スコアの数学的変換を含む、請求項１１に記載のコンピュータプログラム製品。
【請求項１３】
前記メッセージは、１つまたは複数の信頼できるクライアントによる前記エンティティの使用についての統計を含む、請求項１１に記載のコンピュータプログラム製品。
【請求項１４】
前記エンティティはファイルであり、前記エンティティの遭遇は、前記エンティティをダウンロードするステップ、または前記エンティティをダウンロードしようとするステップを含む、請求項１１に記載のコンピュータプログラム製品。
【請求項１５】
前記エンティティはウェブサイトであり、前記エンティティの遭遇は、前記ウェブサイトを見るステップ、または前記ウェブサイトを見ようとするステップを含む、請求項１１に記載のコンピュータプログラム製品。
【請求項１６】
エンティティの評判（レピュテーション）をユーザに伝達するコンピュータプログラム製品であって、前記コンピュータプログラム製品は、
クライアントにおいてエンティティに遭遇するステップであって、前記エンティティはファイル、プログラム又はウェブサイトを含む、ステップと、
クライアントが遭遇したエンティティに悪意があるか否かの評価を表すレピュテーションスコアを受信するステップであって、前記レピュテーションスコアは、前記エンティティを使用したことのあるすべてのユーザに対する、前記エンティティを使用したことのある信頼できるクライアントの比率の測定を含み、信頼できるクライアントは閾値を超える衛生スコアを有するクライアントであり、衛生スコアは、前記クライアントの信頼性の評価を表すと共に、前記クライアントにおけるマルウエア検出の頻度に基づき決定される、ステップと、
前記クライアントの出力装置を介して前記レピュテーションスコアを前記ユーザに伝達するステップと、
前記クライアントの前記出力装置を介して、前記レピュテーションスコアが信頼できるクライアントに基づくことを示すメッセージを前記ユーザに伝達するステップとを含む、
コンピュータ可読媒体を備える、コンピュータプログラム製品。
【請求項１７】
前記レピュテーションスコアは、前記エンティティを使用したことのあるクライアントセットの前記衛生スコアの数学的変換を含む、請求項１６に記載のコンピュータプログラム製品。
【請求項１８】
前記メッセージは、１つまたは複数の信頼できるクライアントによる前記エンティティの使用についての情報を含む、請求項１６に記載のコンピュータプログラム製品。
【請求項１９】
前記エンティティはファイルであり、前記エンティティに遭遇するステップは、前記エンティティをダウンロードするステップ、または前記エンティティをダウンロードしようとするステップを含む、請求項１６に記載のコンピュータプログラム製品。
【請求項２０】
前記エンティティはウェブサイトであり、前記エンティティに遭遇するステップは、前記ウェブサイトを見るステップ、または前記ウェブサイトを見ようとするステップを含む、請求項１６に記載のコンピュータプログラム製品。
【請求項２１】
クライアントにおけるマルウエアは、前記クライアント上での既知のマルウエアのシグネチャとのデータの照合により検出される、
請求項１に記載の方法。
【請求項２２】
クライアントにおけるマルウエアは、前記クライアント上での既知のマルウエアのシグネチャとのデータの照合により検出される、
請求項１１に記載のコンピュータプログラム製品。